(57)【要約】【課題】部品点数を削減すると共に良好な外観が得られ、異物の侵入を確実に防止することができる魚釣用リールを提供すること【解決手段】リールボディ１２ａの開口部１８ａを蓋体１２ｂで覆うと共にこの内部に駆動機構を収容するリール本体１２と、前記蓋体１２ｂとは別体に形成されてリール本体１２に着脱可能に装着されるリヤキャップ４４とを備える魚釣用リール１０であって、開口部１８ａに臨ませて蓋体１２ｂをリールボディ１２ａに取付ける螺子１４により、リヤキャップ４４を取付け固定した魚釣用リール１０。【選択図】      図２
2007236223.tif 000002
【特許請求の範囲】
【請求項１】
リールボディの開口部を蓋体で覆うと共にこの内部に駆動機構を収容するリール本体と、前記蓋体とは別体に形成されてリール本体に着脱可能に装着されるカバー体とを備える魚釣用リールであって、前記開口部に臨ませて蓋体をリールボディに取付ける螺子により、前記カバー体を取付け固定したことを特徴とする魚釣用リール。
【請求項２】
前記カバー体は、前記螺子が締付けられるときに、この螺子に係合してカバー体をリール本体に押圧する案内部を有する請求項１に記載の魚釣用リール。
【発明の詳細な説明】
【技術分野】
【０００１】
本発明は、魚釣用リールに関し、内部に駆動装置を収容するリール本体に、カバー部材が装着された魚釣用リールに関する。
【背景技術】
【０００２】
魚釣用リールは、釣竿に固定するための竿取付部を一体的に形成したリール本体にスプールを支持し、このリール本体の一側に回転可能に支持したハンドルを通じてこのリール本体内に組込んだ巻取り駆動機構を駆動することにより、スプールに釣糸を巻回保持するのが一般的である。例えば魚釣用スピニングリールは、リールボディの開口部を蓋体で覆うと共にこの内部に駆動機構を収容するリール本体を備え、このリール本体の後部には、収容された種々の駆動部材の支持案内又は取付け用の開口部を閉塞し、あるいは、外部衝撃から保護するために、カバー体が着脱可能に取付けられる。
【０００３】
このようなカバー体には、リール本体の前部側から後部に向けて螺子を挿通し、この螺子で、リール本体の後部に螺子止めして装着することにより、カバー体の外表面に螺子を露出させないようにしたものがある（例えば特許文献１参照）。
【０００４】
また、リール本体の後部に凹状の係合部を設け、この凹状の係合部にカバー体の先端部を係止し、カバー体の後端部から挿通する螺子により、リール本体の後端部に固定するものがある（例えば特許文献２参照）。
【特許文献１】実開平２−１７０７１号公報
【特許文献２】実開平６−１３４７１号公報
【発明の開示】
【発明が解決しようとする課題】
【０００５】
しかし、カバー体を固定する螺子をリール本体の前部側から後部に向けて挿通するものは、カバー体用の止め螺子が別個に必要となり、部品点数が増大する。また、リール本体の前部側からのねじ込み作業を必要とするため、リール本体を所要の向きに保持するのが困難で、姿勢が不安定となり、作業性が悪い。
【０００６】
また、カバー体を固定する螺子をカバー体の後端部から挿通するものは、この螺子が外部に露出するため、外観的に好ましいものでなく、この螺子の頭部に塵埃や異物が付着し易い。更に、固定用の螺子を前部側から挿通するものと同様に、カバー体を固定するための別個の螺子が必要となり、部品点数が増大すると共にリール本体の後方側からの螺子込み作業を必要とし、作業性が悪い。
【０００７】
本発明は、このような事情に基づいてなされたもので、部品点数を削減すると共に良好な外観が得られ、異物の侵入を確実に防止することができる魚釣用リールを提供することを目的とする。
【課題を解決するための手段】
【０００８】
上記目的を達成するため、本発明によると、リールボディの開口部を蓋体で覆うと共にこの内部に駆動機構を収容するリール本体と、前記蓋体とは別体に形成されてリール本体に着脱可能に装着されるカバー体とを備える魚釣用リールであって、前記開口部に臨ませて蓋体をリールボディに取付ける螺子により、前記カバー体を取付け固定した魚釣用リールが提供される。
【０００９】
前記カバー体は、前記螺子が締付けられるときに、この螺子に係合してカバー体をリール本体に押圧する案内部を有することが好ましい。
【発明の効果】
【００１０】
本発明の魚釣用リールによると、リールボディに対する蓋体の螺子止め作業でカバー体をリール本体に装着することができることにより、カバー体を固定するための別個の螺子が不要で、部品点数が削減でき、作業性が良く、更に、カバー体から螺子が露出しないため、良好な外観が得られ、カバー体への異物の付着およびカバー体内部への異物の侵入が防止される。
【００１１】
また、カバー体に、螺子に係合してこのカバー体をリール本体に押圧する案内部が設けられる場合には、リールボディに対して螺子を締付けることにより、蓋体を固定すると同時に、カバー体をリール本体に押圧することができ、カバー体を簡単かつ確実に装着することができる。
【発明を実施するための最良の形態】
【００１２】
図１から図４は本発明の好ましい実施形態による魚釣用リール１０を示す。
【００１３】
図１に示すように、本実施形態の魚釣用リール１０は魚釣用スピニングリールとして形成してあり、リール本体１２は、剛性構造のリールボディ１２ａと、このリールボディ１２ａの一側に例えば３本の止め螺子１４で着脱可能に固定される蓋体１２ｂとを有し、リールボディ１２ａから延出する脚部１２ｃの端部に形成された竿取付部１２ｄを介して釣竿に取付けることができる。このリールボディ１２ａと蓋体１２ｂとで形成されるリール本体１２の内部空間内には、スプール１６に釣糸を巻回するための巻取駆動機構が収容される。
【００１４】
図２に示すように、リールボディ１２ａの一側には、種々の駆動部材を挿入して組み付ける収容凹部１８を形成し、この収容凹部１８の開口部１８ａを蓋体１２ｂで閉じ、リール本体１２の全体を剛性構造に形成している。具体的には、この巻取駆動機構は、リール本体１２内に回転自在に支持され、一端に連結したハンドル２０（図１）により、リール本体１２に対して回転するハンドル軸２２を有する。このハンドル軸２２には、ハンドル２０により回転されたときに、このハンドル軸２２と共に回転するドライブギア２４が取付けられている。このドライブギア２４にはピニオンギア２６が噛合している。
【００１５】
ピニオンギア２６は、ハンドル軸２２に対して直交する方向に延び、かつリールボディ１２ａと蓋体１２ｂとで支えられる軸受（図示しない）を介して回転可能に支持された軸筒（図示しない）に一体的に設けられている。このピニオンギア２６が設けられた軸筒の先端部には、ベール２８および図示しない釣糸案内部を備えたロータ３０が一体的に取り付けられ、この軸筒を、ハンドル軸２２と直交する方向に延在するスプール軸３２が貫通している。このスプール軸３２は、ピニオンギア２６と同心的に配されており、スプール往復動装置３４により、ハンドル軸２２と直交する方向すなわちピニオンギア２６の軸方向に沿ってこの内部を前後動することができる。このスプール軸３２の先端部に、釣糸が巻回されるスプール１６が取り付けられる。
【００１６】
本実施形態のスプール往復動装置３４は、ピニオンギア２６に噛合する作動歯車３６を一端に有し、この作動歯車３６を介して回転駆動されるトラバースカム軸３８と、このトラバースカム軸３８の外面に形成された螺旋状のカム溝３８ａに係合する摺動体４０とを有し、この摺動体４０がスプール軸３２の後端に連結される。トラバースカム軸３８が回転すると、この螺旋状のカム溝３８ａに係合する摺動体４０が前後に往復動し、この摺動体４０に取り付けられたスプール軸３２がピニオンギア２６内を軸方向に沿って往復駆動（前後動）する。なお、このようなスプール往復動装置３４は、上述のようなトラバースカム軸３８を用いたものに代え、ハンドル軸２２と一体回転する歯車に噛合して回転する大歯車を有するいわゆるギア方式のものであってもよい。
【００１７】
このように形成された魚釣用スピニングリール１０は、ハンドル２０を回転操作してハンドル軸２２を回転させると、スプール往復動装置３４の摺動体４０に取付けられたスプール軸３２を介してスプール１６が前後に往復動し、一方、巻取駆動装置のドライブギア２４とピニオンギア２６とを介して、ロータ３０が回転駆動される。スプール１６が前後に移動される間に、ベール２８で案内された釣糸が、このスプール１６上にほぼ均等に巻回される。
【００１８】
なお、リール本体１２内には、ロータ３０の逆回転（釣糸をスプールから繰出す方向の回転）を防止する周知の一方向クラッチを備えた逆転防止機構が配置されており、この逆転防止機構を、リール本体１２の後端に設けた切換レバー４２を通じて切換操作し、ロータ３０が正逆転可能な状態と、正転可能でかつ逆転不能の状態とに切換えることができる。ロータ３０がいずれの状態にあっても、ハンドル２０を正転方向（釣糸をスプールに巻き取る方向）に回転すると、図示しない復帰機構を介して、釣糸放出位置にあるベール２８を、図１に示す釣糸巻取位置に復帰させることができる。
【００１９】
このような巻取り駆動装置およびスプール往復動装置３４を収容するリールボディ１２ａは、収容凹部１８の開口部１８ａに臨む周部に沿って、本実施形態では３つの螺子孔１４ａ，１４ｂ，１４ｃが形成されており、これらの螺子孔１４ａ，１４ｂ，１４ｃに上述の螺子１４を螺合することにより、リールボディ１２ａと蓋体１２ｂとが一体化された剛性構造のリール本体１２に形成される。
【００２０】
図２から図４に示すように、本実施形態の螺子孔１４ａ，１４ｂ，１４ｃは、それぞれリールボディ１２ａの後壁部１３ａと底壁部１３ｂと上壁部１３ｃとに、ハンドル軸２２と平行な方向に沿って形成してある。これらの複数の螺子孔のうち、後壁部１３ａの螺子孔１４ａに螺合される螺子１４により、ハンドル軸２２の方向から装着される蓋体１２ｂと共に、この蓋体１２ｂとは別体に形成されてスプール軸３２の方向から装着されるカバー体すなわちリアキャップ４４も同時にリールボディ１２ａに固定することができる。
【００２１】
このリヤキャップ４４は、ハンドル軸２２が延在する幅方向の中央部および脚部１２ｃが延在する縦方向の下側部位を後方に突出させた中空湾曲構造に形成してある。このリヤキャップ４４は、その全体が湾曲した外壁４４ａを有し、内部空間を前方に開口させる開口端４４ｂを介して、リール本体１２の後端側の下部領域に装着される。このリヤキャップ４４がリール本体１２に装着されると、外壁４４ａがリール本体１２との間に間隙を形成し、リール本体１２およびこれに内蔵された種々の部材を、衝撃等の外部からの作用に対して保護する。また、塵埃等の異物がリール本体１２内に侵入するのを阻止する。
【００２２】
このリヤキャップ４４は、外壁４４ａの上側から開口端４４ｂを超えてリール本体１２側に突出する固定腕４６を有する。この固定腕４６は、外壁４４ａよりも厚い板状に形成されており、リールボディ１２ａの後壁部１３ａで蓋体１２ｂ側に開口する案内溝１５内に嵌合することができる。この案内溝１５はその縦方向寸法および幅方向寸法が、それぞれ固定腕４６に対応させて形成してあり、この案内溝１５の底面に上述の螺子孔１４ａが形成されている。
【００２３】
リヤキャップ４４の固定腕４６は、この案内溝１５に嵌合したときに、リールボディ１２ａ側の側面４６ａが案内溝１５の底面に当接し、蓋体１２ｂ側の側面４６ｂがこの蓋体１２ｂの内面に当接し、したがって固定腕４６は、この案内溝１５内を前後方向にのみ移動することができる。
【００２４】
このように形成されたリヤキャップ４４の固定腕４６には、開口端４４ｂから突出した部位の側面４６ａ，４６ｂ間を貫通する取付孔４８が形成されている。蓋体１２ｂに形成した挿通孔１４ｄを通して螺子孔１４ａに螺合される螺子１４が、この取付孔４８に挿通されることにより、リヤキャップ４４がこの蓋体１２ｂと同時にリールボディ１２ａに取付け固定される。
【００２５】
図２に示すように、この取付孔４８は、上側および下側の縁部が前後方向に沿って略平行に延びる長孔状に形成されている。この取付孔４８の後側すなわち外壁４４ａ側の端面４９は、側面４６ａ，４６ｂと直交する平面状に形成され、前側の端面５０は、蓋体１２ｂ側の側面４６ｂからリールボディ１２ａ側の側面４６ａに向けて後側に傾斜し（図４の(Ａ）および（Ｂ）参照）、螺子１４が係合可能な湾曲面状に形成されている。このように傾斜した端面５０により、取付孔４８は、蓋体１２ｂ側の側面４６ｂに、リールボディ１２ａ側の側面４６ａよりも長い長孔状に開口する。
【００２６】
この固定腕４６に形成される取付孔４８は、リヤキャップ４４の開口端４４ｂをリール本体１２の後部壁１３ａに当接させたときに、前側の端面５０が蓋体１２ｂの挿通孔１４ｄに整合した位置に配置され（図４の（Ａ）参照）、この挿通孔１４ｄから挿入された螺子１４を取付孔４８内に受入れることができる。螺子１４を取付孔４８内に押込むと、取付孔４８の前側の端面５０は、螺子１４は先端を案内しつつリール本体１２側に押圧され、リヤキャップ４４をリール本体１２側に付勢する。そして、端面５０がリールボディ１２ａの螺子孔１４ａに整合すると、この螺子孔１４ａ内にねじ込まれ、蓋体１４ｂと共にリヤキャップ４４をリール本体１２のリールボディ１２ａに取付け固定する（図４の（Ｂ）参照）。蓋体１２ｂに形成された挿通孔１４ｄは、外表面側に拡径部を有し、この拡径部内に螺子１４の頭部を収容する。螺子１４の頭部が外部に突出しないため、釣糸等に引っ掛るのが防止される。
【００２７】
このように取付固定されたリヤキャップ４４は、この螺子１４および取付孔４８の前側端面５０により、リール本体１２側に付勢されるため、蓋体１４ｂの螺子締め作業と同時に、カバー体であるリヤキャップ４４をガタツキ無く、簡単に装着することができる。この取付孔４８の前側端面５０は、螺子１４を案内する案内部を形成する。
【００２８】
このように蓋体１４ｂの螺子締め作業でリヤキャップ４４を装着可能な魚釣用リール１０は、リヤキャップ４４をリール本体１２に固定するための別個の螺子が不要で、部品点数が削減でき、作業性が良く、更に、リヤキャップ４４の外面に螺子が露出しないため、良好な外観が得られ、リヤキャップ４４への異物の付着およびリヤキャップ４４内部への異物の侵入が防止される。
【００２９】
図５は、変形例を示す。なお、以下に示す変形例あるいは実施形態は、基本的には上述の実施形態と同様であるため、同様な部位には同様な符号を付し、その詳細な説明を省略する。
【００３０】
図５に示す魚釣用リールでは、取付孔４８内に案内カラー５２が配置され、この案内カラー５２の端面５０ａで螺子１４が案内される。この案内カラー５２を用いる場合は、リヤキャップ４４の開口端４４ｂがリール本体１２の後部壁１３ａに当接したときに、案内カラー５２の端面５０ａが蓋体１２ｂの挿通孔１４ｄに整合した位置に配置され（図５の（Ａ）参照）、この挿通孔１４ｄから挿入された螺子１４を案内カラー５２内に受入れることができる。螺子１４を案内カラー５２内に押込むと、案内カラー５２の前側の端面５０ａが螺子１４の先端を案内しつつリール本体１２側に押圧され、リヤキャップ４４をリール本体１２側に付勢する。そして、端面５０ａがリールボディ１２ａの螺子孔１４ａに整合すると、この螺子孔１４ａ内に螺子１４がねじ込まれ、蓋体１４ｂと共にリヤキャップ４４をリール本体１２のリールボディ１２ａに取付け固定する（図５の（Ｂ）参照）。この場合には、螺子１４の取付け取外しの繰り返し作業によって案内カラー５２の前側の端面５０ａが損傷した（機能を果たさなくなった）ときに、案内カラー５２の交換作業で対応することができる。
【００３１】
図６は、更に他の変形例を示す。  
この変形例では、固定腕４６を案内する案内溝１５Ａが後部壁１３ａの後方に向けて開口している。この場合には、リヤキャップ４４の位置決めを容易に行うことができる。
【００３２】
なお、上述の実施形態では、固定腕４６をリヤキャップ４４の上端部に形成してあるが、中央部あるいは下側に設けることも可能である。
【図面の簡単な説明】
【００３３】
【図１】本発明の好ましい実施形態による魚釣用リールの側面図。
【図２】図１に示す魚釣用リールの蓋体とリヤキャップとをリールボディから分離した状態の説明図。
【図３】図１のＡ−Ａ線に沿って示すリールボディと蓋体との結合部の説明図。
【図４】図１のＢ−Ｂ線に沿って示すリールボディと蓋体とリヤキャップとの結合部を示し、（Ａ）は螺子を螺合する前の断面図、（Ｂ）は螺合した状態の断面図。
【図５】変形例による魚釣用リールの図４と同様な説明図。
【図６】他の変形例による魚釣用リールの図４と同様な説明図。
【符号の説明】
【００３４】
１０…魚釣用リール、１２…リール本体、１２ａ…リールボディ、１２ｂ…蓋部、１４…螺子、１８ａ…開口部、４４…リヤキャップ（カバー体）。
【図１】
2007236223.tif 000003
【図２】
2007236223.tif 000004
【図３】
2007236223.tif 000005
【図４】
2007236223.tif 000006
【図５】
2007236223.tif 000007
【図６】
2007236223.tif 000008